(57)【特許請求の範囲】
【請求項１】
被検者に視野ドーム内側面の中心の固視点を固視させ、該固視点を中心として径方向に多方向の残存視野をそれぞれ角度値として測定する測定手段と、
前記被検者に対して測定された多方向の残存視野の角度値の合計を健常者での該合計で除算した値のパーセンテージを視能率とし、１００％から視能率のパーセンテージを減算した値を損失率として演算する演算手段と、
該演算手段の演算結果及び視野の測定結果を外部に出力する出力手段と、
前記視能率及びその損失率の演算を行うモードを設定する操作パネルと、を有し、
前記演算を行うモードが設定されたときは、前記演算手段により視能率及びその損失率を演算してその演算結果を視野の測定結果とともに外部に出力し、前記演算を行うモードが設定されないときは、視野の測定結果のみを外部に出力し、
前記視野の測定結果として得られる視野に対応した領域の補正が行われ、該領域の補正が行われたときは、前記視能率及びその損失率の演算が補正された領域の面積に基づいて行われることを特徴とする視野計。
【請求項２】
前記視野に対応した領域の補正は、測定結果として得られる視野に対応した領域を表示し、領域を指定するための入力手段を用いて領域を指定することにより行われることを特徴とする請求項１に記載の視野計。
【発明の詳細な説明】
【技術分野】
【０００１】
本発明は、眼科検査で被検者の視野を測定する視野計に関するものである。
【背景技術】
【０００２】
従来の視野計として、例えばゴールドマン型の視野計では、内側面が半球形の視野ドームを有し、被検者の被検眼を視野ドームの半球形の球心に位置させ、被検者にドーム内側面の中心の固視点を固視させ、ドーム内側面にスポットライトあるいはＬＥＤ等により視標を表示し、視標を移動させ、被検者が視標を視認できるようになったとき、または視標が見えなくなったときに、被検者に応答スイッチを操作させることで視野を測定している。具体的には、上記固視点を中心とする多方向について残存視野（視標が見える範囲）の角度を測定している。
【０００３】
従来の視野計では、このように視野を測定した後、測定結果をプリントアウトする、あるいは表示する機能しかなかった。
【発明の開示】
【発明が解決しようとする課題】
【０００４】
上記のように、従来の視野計では視野を測定し、測定結果を出力する機能しかなかったので、被検者の視能率の損失率を求める場合、検者が自ら視野計の測定データに基づいて計算していた。
【０００５】
その方法では、固視点を中心として周方向に４５°間隔の８方向について残存視野の角度を視野計により測定し、測定結果の８つの角度値を合計した上で５６０で除算する。ここで５６０で除算するのは、平均的な日本人の場合、前記８つの角度値の合計が５６０になるからである。前記除算により視能率が求められる。視能率の損失率は、１００％から視能率のパーセンテージを減算することで求められる。
【０００６】
しかしながら、このような計算を行なうことは検者にとって手間がかかって負担が大きく、計算の間違いも起こり得る。また、この視能率の損失率の計算は、上記の８方向だけの残存視野角度の測定結果に基づくもので、求められる損失率は近似的なものであるので、本来はより多方向の測定結果に基づいて計算するのが好ましい。しかし、そうすると計算の量が増え、検者の負担が更に大きくなってしまう。
【０００７】
そこで本発明の課題は、被検者の視能率の損失率を自動的に正確に算出できる視野計を提供することにある。
【課題を解決するための手段】
【０００８】
本発明は、
被検者に視野ドーム内側面の中心の固視点を固視させ、該固視点を中心として径方向に多方向の残存視野をそれぞれ角度値として測定する測定手段と、
前記被検者に対して測定された多方向の残存視野の角度値の合計を健常者での該合計で除算した値のパーセンテージを視能率とし、１００％から視能率のパーセンテージを減算した値を損失率として演算する演算手段と、
該演算手段の演算結果及び視野の測定結果を外部に出力する出力手段と、
前記視能率及びその損失率の演算を行うモードを設定する操作パネルと、を有し、
前記演算を行うモードが設定されたときは、前記演算手段により視能率及びその損失率を演算してその演算結果を視野の測定結果とともに外部に出力し、前記演算を行うモードが設定されないときは、視野の測定結果のみを外部に出力し、
前記視野の測定結果として得られる視野に対応した領域の補正が行われ、該領域の補正が行われたときは、前記視能率及びその損失率の演算が補正された領域の面積に基づいて行われることを特徴とする。
【発明の効果】
【０００９】
以上の説明から明らかなように、本発明によれば、被検者の視野の測定結果に基づいて、被検者の視能率の損失率を自動的に正確に演算し、演算結果を外部に出力できる優れた視野計を提供することができる。
【発明を実施するための最良の形態】
【００１０】
以下、図を参照して本発明の実施の形態を説明する。
【実施例１】
【００１１】
本発明の第１の実施例を図１〜３により説明する。まず、図１は本実施例における視野計の構成を示している。
【００１２】
図１において、７はＣＰＵであり、ＲＯＭ５に格納された制御プログラムに従って視野計全体の制御を行なうとともに、後述のように視野の測定結果に基づいて被検者の視能率の損失率を演算する演算処理などを行なう。ＣＰＵ７にはＲＡＭ６が接続されており、これはＣＰＵ７のワーキングエリア等として使用され、後述する視野測定時の測定データや損失率の演算時の演算データ等の一時的な記憶にも使用される。
【００１３】
また、ＣＰＵ７には、被検者の視野を測定するための視野ドーム１０がバッファ９を介して接続されている。視野ドーム１０は内側面が半球形に形成され、視野測定時には、その内側面にスポットライトあるいはＬＥＤ等により視標が表示され、移動される。その制御はバッファ９を介してＣＰＵ７により行なわれる。
【００１４】
また、ＣＰＵ７には表示手段であるモニタ８が接続されている。モニタ８はＣＲＴディスプレイあるいは液晶ディスプレイ等からなり、視野の測定結果や視能率の損失率の演算結果などを表示する。
【００１５】
さらに、ＣＰＵ７には、プリンタ１、応答スイッチ２、及び操作パネル４が入出力インターフェイス３を介して接続されている。
【００１６】
プリンタ１は、視野の測定結果や視能率の損失率の演算結果などの記録出力に用いられる。
【００１７】
応答スイッチ２は、視野測定時に被検者が応答の操作入力を行なうために用いられる。
【００１８】
操作パネル４には検者が視野計を操作するためのライトペンや各種スイッチ等の操作入力手段が設けられ、その操作により視野測定時の視標の位置、大きさ、明るさなどの測定条件を任意に、あるいは検査プログラムにより可変に設定できるようになっている。
【００１９】
次に、上記構成による視野測定時の動作について説明する。
【００２０】
視野測定時には、被検者の被検眼を視野ドーム１０の半球形の球心に位置させ、被検者にドーム内側面の中心の固視点を固視させる。そして、操作パネル４の操作入力に応じたＣＰＵ７の制御により、視野ドーム１０の内側面に視標が表示され、移動される。そして、被検者が視標を視認できるようになったとき、または視標が見えなくなったときに、応答スイッチを操作することで、応答の入力がなされ、その時の固視点を基準とする視標の位置の角度が一方向への残存視野の角度として検出され、そのデータがＲＡＭ６の所定の記憶エリアに記憶される。この測定は固視点を中心とする径方向の多方向について行なわれ、それぞれの測定データがＲＡＭ６の所定の記憶エリアに記憶される。この処理は勿論ＣＰＵ７の制御によりなされる。
【００２１】
そして、予め操作パネル４の操作により設定された全方向についての測定が終了したら、ＣＰＵ７は、操作パネル４の操作による設定に応じて、その測定結果をモニタ８に表示、またはプリンタ１でプリントアウトさせる。その表示またはプリントアウトの形態は、例えば図２に示すような同心円のグラフとする。このグラフでは、固視点を中心として、周方向に被検眼の周方向をとり、径方向に視野の残存角度を距離で示している。図２中の破線は健常者の右目の視野の測定結果を示している。また下記の表１のように測定結果をその数値で示してもよい。ここでは前述した８方向として、上、上外、外、外下、下、下内、内、内上のそれぞれの方向（図２参照）の測定データを示しているが、後述のように被検者の視能率の損失率を正確に求めるためには、より多方向の測定を行なうのが好ましい。
【００２２】
【表１】
0004549409.tif 000002
【００２３】
ところで、本実施例では、上記のように被検者の視野の測定結果を表示ないしプリントアウトするとともに、ＣＰＵ７が前記の測定結果に基づいて被検者の視能率、及びその損失率を演算し、その演算結果をモニタ８に表示、またはプリンタ１でプリントアウトさせる。
【００２４】
その計算方法自体は前述した従来の方法と同じであり、上記８方向の残存視野の角度値を合計した上で５６０で除算して視能率を求め、１００％から視能率のパーセンテージを減算することで損失率を求める。この方法によると、例えば、上記８方向の残存視野の角度値がそれぞれ１０度の場合、視能率及びその損失率は下記の表２のようになる。
【００２５】
【表２】
0004549409.tif 000003
【００２６】
なお、より正確な視能率及びその損失率を得るには、上記８方向より多方向について視野を測定し、その多方向の測定結果に基づいて上記のような計算方法により視能率と損失率を算出するのが好ましい。その場合、より多方向の測定を行なうことで計算の量が増えても、ＣＰＵ７が計算を行なうので全く問題ない。
【００２７】
また、上記視能率の算出は、視野測定後に自動的に行なってもよいが、操作パネル４の操作により、その算出を行なうモードと行なわないモードを設定できるようにしておき、その設定に応じて行なうようにしてもよい。
【００２８】
その場合のＣＰＵ７の制御手順を図３のフローチャートに示してある。この制御手順では、まずステップＳ１で視野測定を行なった後、ステップＳ２で、操作パネル４の操作入力状態により、上記視能率及びその損失率の算出を行なうモードに設定されているか否か判定する。
【００２９】
そして、算出を行なうモードに設定されていれば、ステップＳ３で上記のように視野の測定結果に基づいて視能率及びその損失率を演算し、ステップＳ４でその演算結果を視野の測定結果とともに外部に出力させる。すなわち、プリンタ１でプリントアウトさせる、ないしはモニタ８に表示させる。その形態は例えば前述の表２のような形態とする。
【００３０】
また、算出を行なうモードに設定されていなければ、ステップＳ５で視野の測定結果のみをプリントアウトないし表示させる。
【００３１】
以上のように、本実施例の視野計によれば、被検者の視能率の損失率を自動的に正確に算出することができる。
【実施例２】
【００３２】
次に、本発明の第２の実施例を図４〜６により説明する。まず、図４は本実施例における視野計の構成を示している。図４において、第１の実施例の図１中と共通する部分については共通の符号を付してあり、その説明は省略する。
【００３３】
図４に示すように、本実施例の視野計では、第１の実施例と共通の構成に加えて、座標入力装置としての透明なタッチパネル１１をモニタ８の表示面上に重なるように設けている。このタッチパネル１１は、検者がモニタ８の表示面上で視野に対応する任意の領域を指定する入力を行なうためのものであり、入力ペンと呼ばれるペン状の座標入力指示具を接触させて手書きで領域を指定する境界の線の入力を行なうことができる。
【００３４】
このような構成のもとに、本実施例では、視野測定後に測定結果を、その測定結果の視野に対応した領域の画像としてモニタ８に表示し、その表示面上で検者にタッチパネル１１で視野に対応する任意の領域を指定する入力を行なわせる。この領域の指定は、前記の測定結果として表示される領域を検者の経験によって補正するために行なわれる。そして、この指定された領域の面積に基づいて被検者の視能率の損失率を演算し、出力する。
【００３５】
このような本実施例の動作の詳細を図５のフローチャートを参照して以下に説明する。図５は本実施例におけるＣＰＵ７の視野測定時の制御手順を示している。
【００３６】
図５の制御手順では、まずステップＳ２１で前述のように視野測定を行ない、測定が終了したら、ステップＳ２２で視野の測定結果を、例えば図６に示すような形態で、測定結果の視野に対応した領域の画像としてモニタ８に表示させる。この表示形態は前述した図２と同様であり、固視点を中心とし、周方向に被検眼の周方向をとり、径方向に視野の残存角度を距離で示した同心円のグラフである。図６中の破線が測定結果の視野に対応した領域の境界を示している。なお、ここでは図２と同様に前述した８方向の測定結果の視野の領域を示しているが、より多方向の測定を行なった方が好ましいことは勿論である。
【００３７】
次に、ステップＳ２３において、検者にタッチパネル１１で視野に対応する任意の領域を指定する入力を行なわせる。すなわち、その指定する領域の境界の線を入力ペンの手書きで入力させる。この場合、検者は、モニタ８に表示された上記測定結果の視野に対応した領域の画像を見て、その表示面上で前記領域を補正するように、指定する領域の境界の線を入力ペンの手書きで入力する。その線の各点の座標が順次タッチパネル１１で検出され、その座標データがＣＰＵ７に入力され、ＣＰＵ７によりＲＡＭ６の所定の記憶エリアに格納される。
【００３８】
ＣＰＵ７は、上記の線の入力に並行して、上記の座標データに基づいて、入力された線をモニタ８に表示させる。その表示例を図７に示してある。図７中で破線が上記測定結果の視野に対応した領域の境界の線であり、太い実線が入力された指定領域の境界の線である。
【００３９】
なお、モニタ８に表示された画像上で、図８に示すように、上記のように手書き入力で指定された領域を、この領域以外の領域と異なる色で表示するようにしてもよい。
【００４０】
上記の領域を指定する入力が終了したら、ステップＳ２４で上記の座標データに基づいて、指定された領域の面積を算出する。
【００４１】
次に、ステップＳ２５において、ステップＳ２４で算出した領域の面積に基づいて被検者の視野の視能率とその損失率を演算する。ここでは、予め健常者の視野の測定結果に対応する領域の面積をＲＯＭ５に記憶しておき、ステップＳ２４で算出した指定領域の面積を健常者の視野の測定結果に対応する領域の面積で除算して視能率を求め、１００％から視能率のパーセンテージを減算して損失率を求める。
【００４２】
次に、ステップＳ２６で上記のように算出した視能率、損失率の数値データをプリンタ１でプリントアウト、ないしはモニタ８に表示させ、しかる後に処理を終了する。
【００４３】
以上のように、本実施例によれば、視野の測定結果を、その測定結果の視野に対応した領域の画像としてモニタ８に表示し、その表示面上で検者にタッチパネル１１で視野に対応する任意の領域を指定する入力を行なわせることにより、検者が測定結果に対応した領域を簡単に補正することができる。そして、この補正された領域の面積に基づいて視能率、損失率を正確に演算し、出力することができる。
【００４４】
なお、以上の構成において、タッチパネル１１の代わりに例えばマウス等の他の入力手段により上記の領域の指定のための入力を行なうようにしてもよい。
【図面の簡単な説明】
【００４５】
【図１】本発明の第１の実施例における視野計の構成を示すブロック図である。
【図２】同視野計における視野測定結果の表示ないしはプリントアウトの形態を示すグラフ図である。
【図３】同視野計のＣＰＵの制御手順を示すフローチャート図である。
【図４】第２の実施例における視野計の構成を示すブロック図である。
【図５】同視野計のＣＰＵの制御手順を示すフローチャート図である。
【図６】同視野計における視野測定結果の表示例を示すグラフ図である。
【図７】同視野計において、測定結果の視野に対応した領域を検者が補正するために領域を指定する入力を行なった状態のモニタの表示例を示すグラフ図である。
【図８】前記領域を指定する入力を行なった状態のモニタの他の表示例を示すグラフ図である。
【符号の説明】
【００４６】
１  プリンタ
２  応答スイッチ
３  Ｉ／Ｏインターフェイス
４  操作パネル
５  ＲＯＭ
６  ＲＡＭ
７  ＣＰＵ
８  モニタ
９  バッファ
１０  視野ドーム
１１  タッチパネル
【図１】
0004549409.tif 000004
【図２】
0004549409.tif 000005
【図３】
0004549409.tif 000006
【図４】
0004549409.tif 000007
【図５】
0004549409.tif 000008
【図６】
0004549409.tif 000009
【図７】
0004549409.tif 000010
【図８】
0004549409.tif 000011